(57)【要約】【課題】空調用空気の流れ方向に拡幅部を長くすることなく、周囲の部品との干渉を抑制しつつ圧力損失を小さくする。【解決手段】リテーナ１２は、下流端に吹出口１５を有するリテーナ本体１４と、上流端に流入口を有するダクト接続部２１とを備える。吹出口１５は、一対の短辺部１６と一対の長辺部１７とからなり、長方形状をなす。ダクト接続部２１は、長辺部１７に沿う方向に２つ設けられる。隣り合うダクト接続部２１の流入口は、長辺部１７に沿う方向に互いに離間する。各ダクト接続部２１は、短辺部１６に沿う方向における通風路の寸法ＬＨが、リテーナ本体１４に近づくに従い徐々に短くなる縮流部２３を、リテーナ本体１４との境界部分に有する。各縮流部２３は、下流側ほど長辺部１７に沿う方向に徐々に拡幅してリテーナ本体１４に繋がる拡幅部２５を備える。【選択図】図１
2020152228.tif 000002
【特許請求の範囲】
【請求項１】
送風ダクトを通って送られてくる空調用空気の通風路を有するリテーナを備え、
前記リテーナは、空調用空気の流れ方向における下流端に吹出口を有するリテーナ本体と、前記流れ方向における前記リテーナ本体の上流側に設けられ、前記送風ダクトが接続されるとともに、同方向における上流端に流入口を有するダクト接続部とを備え、
前記吹出口が、一対の短辺部と、両短辺部に対し交差し、かつそれぞれ各短辺部よりも長い一対の長辺部とからなり、長方形状をなす空調用薄型レジスタであって、
前記ダクト接続部は、前記長辺部に沿う方向に複数設けられ、
隣り合う前記ダクト接続部の前記流入口は、前記長辺部に沿う方向に互いに離間し、
各ダクト接続部は、前記短辺部に沿う方向における前記通風路の寸法が、前記リテーナ本体に近づくに従い徐々に短くなる縮流部を、同リテーナ本体との境界部分に有し、
各縮流部は、前記流れ方向における下流側ほど前記長辺部に沿う方向に徐々に拡幅して前記リテーナ本体に繋がる拡幅部を備えている空調用薄型レジスタ。
【請求項２】
前記ダクト接続部は２つ設けられ、
前記ダクト接続部毎の前記拡幅部は、前記長辺部に沿う方向については、隣のダクト接続部の拡幅部に近づく側へのみ拡幅されている請求項１に記載の空調用薄型レジスタ。
【請求項３】
前記ダクト接続部毎の前記拡幅部は、前記流れ方向における下流側ほど隣の拡幅部に近づくように、同流れ方向に対し一定の角度で傾斜する平坦な傾斜壁部を有している請求項１又は２に記載の空調用薄型レジスタ。
【発明の詳細な説明】
【技術分野】
【０００１】
本発明は、送風ダクトを通って送られてくる空調用空気を、長方形状の吹出口から室内に吹き出す空調用薄型レジスタに関する。
【背景技術】
【０００２】
車両では、送風ダクトを通って送られてくる空調用空気を車室内に吹き出す空調用レジスタがインストルメントパネルに組込まれている。この空調用レジスタは、後述する空調用薄型レジスタを含め、一般に図７〜図１０に示す基本構造を採っている。空調用レジスタは、空調用空気Ａ１の通風路５３を有するリテーナ５２を備える。リテーナ５２は、リテーナ本体５４と、空調用空気Ａ１の流れ方向におけるリテーナ本体５４の上流側に設けられたダクト接続部６１とを備える。リテーナ本体５４は、上記流れ方向における下流端に吹出口５５を有する。ダクト接続部６１は送風ダクトが接続される箇所であり、上記流れ方向における上流端に流入口６２を有する。
【０００３】
上記空調用レジスタでは、送風ダクトを通って送られてくる空調用空気Ａ１が、ダクト接続部６１の流入口６２からリテーナ５２内に流入し、通風路５３を流れた後、リテーナ本体５４の吹出口５５から車室内に吹き出される。
【０００４】
一方、近年、運転操作が運転者に代わって自動で行われる車両（自動運転車）の開発が進められているが、この自動運転車では、手動による操舵に関わる装置や部品が不要となり、インストルメントパネルの上下方向や奥行き方向の寸法が短くなる。それに伴って、空調用レジスタの薄型化を要求されることが予想される。
【０００５】
そこで、縦方向と横方向とで吹出口５５の寸法が大きく異なるタイプの空調用レジスタ（以下「空調用薄型レジスタ」という）が考えられている。上記図７〜図１０は、この空調用薄型レジスタ５０を示している。図８に示すように、空調用薄型レジスタ５０では、吹出口５５が、一対の短辺部５６と、両短辺部５６に対し交差し、かつそれぞれ各短辺部５６よりも長い一対の長辺部５７とからなり、長方形状をなしている。
【０００６】
上記空調用薄型レジスタ５０では、流入口６２を吹出口５５と同一の長方形状又はそれに近い長方形状に形成することが、吹き出し性能を確保するうえで好ましい。この場合、ダクト接続部６１は、図７において二点鎖線で示すように、長辺部５７に沿う方向に長い扁平な四角筒状に形成される。ダクト接続部６１には、上記流れ方向について通風路５３の流路断面積が急激に変化する箇所がなく、また形状が大きく変化する箇所がなく、圧力損失の低下が少ないからである。
【０００７】
ところが、インストルメントパネルの内部には、各種電子機器やハーネスが配置される。流入口６２が上記のように長辺部５７に沿う方向に長く、それに伴いダクト接続部６１が同方向に長いと、同ダクト接続部６１やこれに接続される送風ダクトが、上記電子機器、ハーネス等といった周囲の部品と干渉する問題が新たに生ずる。
【０００８】
そこで、図８及び図９に示すように、ダクト接続部６１として、長辺部５７に沿う方向の寸法ＬＷが吹出口５５よりも短く、かつ短辺部５６に沿う方向の寸法ＬＨが吹出口５５よりも長い流入口６２を有するものを用いる。さらに、流入口６２を、上記長辺部５７に沿う方向におけるリテーナ本体５４の中央部分に配置することが考えられる（例えば、特許文献１参照）。
【０００９】
この場合、図７における実線、及び図８〜図１０に示すように、上記ダクト接続部６１は、リテーナ本体５４との境界部分に縮流部６３を有する。縮流部６３では、上記短辺部５６に沿う方向における通風路５３の寸法ＬＨが、上記流れ方向における下流側ほど徐々に短くなる。さらに、縮流部６３は、上記流れ方向における下流側ほど上記長辺部５７に沿う方向に拡幅してリテーナ本体５４に繋がる拡幅部を兼ねている。縮流部６３が上記のように構成されることで、同縮流部６３では、通風路５３の流路断面積が、上記流れ方向のどの箇所でも同程度となる。
【先行技術文献】
【特許文献】
【００１０】
【特許文献１】特開２００８−１３４３号公報
【発明の概要】
【発明が解決しようとする課題】
【００１１】
図７〜図１０に示される上記空調用薄型レジスタ５０では、上記長辺部５７に沿う方向におけるダクト接続部６１の両側に空間Ｓ１ができるため、これらの空間Ｓ１に電子機器やハーネスを配置することで、ダクト接続部６１及び送風ダクトと、電子機器及びハーネス等との干渉を抑制することが可能である。
【００１２】
しかしながら、上記拡幅部（縮流部６３）のうち、長辺部５７に沿う方向の両側部分６３ｂでは、空調用空気Ａ１が、同方向の両側へ広がるように流れることが難しい。拡幅部では、空調用空気Ａ１は、長辺部５７に沿う方向の中央部分６３ａにかたまって流れやすく、両側部分６３ｂを流れにくい。これは、両側部分６３ｂでは、拡幅部の形状が急激に変化するからである。そのため、拡幅部のうち、中央部分６３ａでは空調用空気Ａ１の圧力が高く、両側部分６３ｂでは同圧力が低くなって、圧力損失が大きくなる問題がある。
【００１３】
なお、上記拡幅部を、上記長辺部５７に沿う方向における寸法が、上記流れ方向における下流側ほど徐々に長くなるように拡幅すれば、圧力損失の増大を抑制することは可能である。しかし、この場合には、上記流れ方向における拡幅部の寸法ＬＤが長くなる。そのため、空調用薄型レジスタ５０を、上記のように奥行き方向の寸法が短くされる傾向にあるインストルメントパネルに組み込むことが難しくなる。
【００１４】
本発明は、このような実情に鑑みてなされたものであって、その目的は、空調用空気の流れ方向に拡幅部を長くすることなく、周囲の部品との干渉を抑制しつつ圧力損失を小さくすることのできる空調用薄型レジスタを提供することにある。
【課題を解決するための手段】
【００１５】
上記課題を解決する空調用薄型レジスタは、送風ダクトを通って送られてくる空調用空気の通風路を有するリテーナを備え、前記リテーナは、空調用空気の流れ方向における下流端に吹出口を有するリテーナ本体と、前記流れ方向における前記リテーナ本体の上流側に設けられ、前記送風ダクトが接続されるとともに、同方向における上流端に流入口を有するダクト接続部とを備え、前記吹出口が、一対の短辺部と、両短辺部に対し交差し、かつそれぞれ各短辺部よりも長い一対の長辺部とからなり、長方形状をなす空調用薄型レジスタであって、前記ダクト接続部は、前記長辺部に沿う方向に複数設けられ、隣り合う前記ダクト接続部の前記流入口は、前記長辺部に沿う方向に互いに離間し、各ダクト接続部は、前記短辺部に沿う方向における前記通風路の寸法が、前記リテーナ本体に近づくに従い徐々に短くなる縮流部を、同リテーナ本体との境界部分に有し、各縮流部は、前記流れ方向における下流側ほど前記長辺部に沿う方向に徐々に拡幅して前記リテーナ本体に繋がる拡幅部を備えている。
【００１６】
上記の構成によれば、空調用空気の流れ方向における送風ダクトの下流部は、リテーナにおける複数のダクト接続部と同数に分岐される。送風ダクトの各分岐部は、複数のダクト接続部のうち、対応するものに接続される。
【００１７】
ここで、隣り合うダクト接続部の両流入口は、吹出口の長辺部に沿う方向に互いに離間している。そのため、送風ダクトの分岐部が、対応するダクト接続部に接続された状態では、少なくとも隣り合うダクト接続部の間や、送風ダクトの隣り合う分岐部の間に空間が生ずる。従って、これらの空間に空調用薄型レジスタの周辺の部品が配置されれば、ダクト接続部や送風ダクトの分岐部と周辺の部品との干渉が起こりにくい。
【００１８】
また、ダクト接続部が複数設けられていることから、ダクト接続部毎の拡幅部が上記長辺部に沿う方向に分散される。従って、ダクト接続部が１つの場合に比べ、各拡幅部の上記流れ方向における寸法を短くすることが可能である。
【００１９】
また、ダクト接続部毎の縮流部では、短辺部に沿う方向の通風路の寸法が、リテーナ本体に近づくに従い徐々に短くなる。しかも、各拡幅部が、上記流れ方向における下流側ほど長辺部に沿う方向に徐々に拡幅する。そのため、縮流部では、通風路の流路断面積を上記流れ方向のどの箇所でも同程度にすることが可能である。
【００２０】
ところで、上記送風ダクトの各分岐部を流れる空調用空気は、ダクト接続部毎の流入口からリテーナ内に流入し、ダクト接続部毎の縮流部の拡幅部を流れる。上記長辺部に沿う方向における拡幅部の中央部分では、空調用空気が上記流れ方向における下流側へ真っ直ぐ流れようとする。これに対し、上記長辺部に沿う方向における側部であって拡幅している部分では、空調用空気が拡幅した方向へ広がるように、方向を変えながら流れやすい。これは、上述したように、拡幅部が上記流れ方向における下流側ほど長辺部に沿う方向に徐々に拡幅し、しかも、各拡幅部の上記流れ方向における寸法が短いためである。
【００２１】
従って、長辺部に沿う方向の寸法が吹出口よりも短く、かつ短辺部に沿う方向の寸法が吹出口よりも長い流入口を有する１つのダクト接続部が、長辺部に沿う方向におけるリテーナ本体の中央部分に配置される場合（特許文献１）とは異なり、空調用空気の流れが縮流部毎の拡幅部で急激に変化する現象が起こりにくい。長辺部に沿う方向における各拡幅部の各部での圧力の差が小さくなる。各拡幅部では、空調用空気が長辺部に沿う方向の全体の領域に広がった状態で、同程度の圧力でスムーズに流れる。その結果として、圧力損失が小さくなる。
【００２２】
上記空調用薄型レジスタにおいて、前記ダクト接続部は２つ設けられ、前記ダクト接続部毎の前記拡幅部は、前記長辺部に沿う方向については、隣のダクト接続部の拡幅部に近づく側へのみ拡幅されていることが好ましい。
【００２３】
上記の構成によるように、ダクト接続部が２つ設けられ、しかも、ダクト接続部毎の拡幅部が、隣のダクト接続部の拡幅部に近づく側へのみ拡幅されることにより、リテーナにおいて、長辺部に沿う方向の中央部分にのみ大きな空間が生ずる。そのため、この空間に空調用薄型レジスタの周辺の部品が配置されれば、ダクト接続部や送風ダクトの分岐部と上記周辺の部品との干渉が効果的に抑制される。
【００２４】
また、この場合、空調用空気は、ダクト接続部毎の流入口からリテーナ内に流入すると、縮流部を流れる。各縮流部における拡幅部のうち、長辺部に沿う方向の中央部分と、隣の拡幅部から遠い側の側部とでは、空調用空気が上記流れ方向における下流側へ真っ直ぐ流れようとする。これに対し、各拡幅部のうち、隣の拡幅部に近い側の側部では、空調用空気が隣のダクト接続部側へ広がるように、方向を変えながら流れる。この場合にも、拡幅部が上記流れ方向における下流側ほど長辺部に沿う方向に徐々に拡幅し、しかも各拡幅部の上記流れ方向における寸法が短いため、空調用空気は流れやすい。
【００２５】
上記空調用薄型レジスタにおいて、前記ダクト接続部毎の前記拡幅部は、前記流れ方向における下流側ほど隣の拡幅部に近づくように、同流れ方向に対し一定の角度で傾斜する平坦な傾斜壁部を有していることが好ましい。
【００２６】
各拡幅部に、上記の条件を満たす傾斜壁部が形成されることにより、同拡幅部は上記流れ方向における下流側ほど長辺部に沿う方向に一定量ずつ徐々に拡幅して同リテーナ本体に繋がる。従って、長辺部に沿う方向における拡幅部の側部であって拡幅した部分では、空調用空気が拡幅した方向へ広がるように、よりスムーズに方向を変えながら流れやすい。
【発明の効果】
【００２７】
上記空調用薄型レジスタによれば、空調用空気の流れ方向に拡幅部を長くすることなく、周囲の部品との干渉を抑制しつつ圧力損失を小さくすることができる。
【図面の簡単な説明】
【００２８】
【図１】一実施形態における空調用薄型レジスタの斜視図。
【図２】一実施形態における空調用薄型レジスタの正面図。
【図３】一実施形態における空調用薄型レジスタの背面図。
【図４】一実施形態における空調用薄型レジスタの側面図。
【図５】図２における５−５線に沿った断面図。
【図６】図２における６−６線に沿った断面図。
【図７】従来の空調用薄型レジスタの平面図。
【図８】従来の空調用薄型レジスタの正面図。
【図９】従来の空調用薄型レジスタの背面図。
【図１０】従来の空調用薄型レジスタの側面図。
【発明を実施するための形態】
【００２９】
以下、車両用の空調用薄型レジスタに具体化した一実施形態について、図１〜図６を参照して説明する。
なお、以下の記載においては、車両の進行方向（前進方向）を前方とし、後進方向を後方とし、高さ方向を上下方向として説明する。また、車幅方向（左右方向）については、車両を後方から見た場合を基準として方向を規定する。
【００３０】
車室内において、車両の前席の前方にはインストルメントパネルが設けられている。インストルメントパネルの内部には、各種電子機器やハーネスが配置されている。また、インストルメントパネルの左右方向における中央部、側部等には、図１に示す空調用薄型レジスタ１０が組み込まれている。この空調用薄型レジスタ１０の主な機能は、空調装置から、図６において二点鎖線で示される送風ダクト１１を通って送られてくる空調用空気Ａ１を車室内に吹き出すことである。
【００３１】
図１及び図６に示すように、空調用薄型レジスタ１０の外殻部分は、リテーナ１２によって構成されている。リテーナ１２は、送風ダクト１１を通って送られてくる空調用空気Ａ１の通風路１３を有している。ここで、空調用空気Ａ１の流れ方向に関し、空調装置に近い側を「上流」、「上流側」等といい、同空調装置から遠い側を「下流」、「下流側」等というものとする。
【００３２】
図６に示すように、送風ダクト１１の下流部は、筒状をなす複数（本実施形態では２つ）の分岐部１１ａに分岐されている。両分岐部１１ａは、左右方向に並設されている。
図１及び図６に示すように、リテーナ１２は、その下流部分を構成するリテーナ本体１４と、上流部分を構成するダクト接続部２１とを備えている。リテーナ本体１４は、下流端に空調用空気Ａ１の吹出口１５を有している。
【００３３】
図１及び図２に示すように、吹出口１５は、一対の短辺部１６と、それぞれ各短辺部１６よりも長い一対の長辺部１７とからなる。両短辺部１６は、互いに平行に離間した状態で略上下方向へ延びている。両長辺部１７は、互いに平行に離間した状態で、両短辺部１６に対し直交する方向である左右方向へ延びている。こうした構成の吹出口１５は、上下方向よりも左右方向に細長い横長の長方形状をなしている。
【００３４】
ダクト接続部２１は、送風ダクト１１の上記分岐部１１ａが接続される箇所であり、同分岐部１１ａに合わせて２つ設けられている。両ダクト接続部２１は、上記分岐部１１ａと同様、左右方向に並設されている。図３及び図６に示すように、各ダクト接続部２１は、上流端に空調用空気Ａ１の流入口２２を有している。両ダクト接続部２１の流入口２２は、左右方向に互いに離間している。各流入口２２の左右方向の寸法ＬＷは、吹出口１５の同方向の寸法ＬＷの半分よりも小さな値に設定されている。各流入口２２の上下方向の寸法ＬＨは、吹出口１５の同方向の寸法ＬＨ（図２参照）よりも大きな値に設定されている。
【００３５】
図１、図４及び図５に示すように、各ダクト接続部２１のリテーナ本体１４との境界部分は縮流部２３によって構成されている。各縮流部２３は、上下方向における通風路１３の寸法ＬＨが、リテーナ本体１４に近づくに従い徐々に短くなるように形成されている。
【００３６】
各縮流部２３は、その上流部を構成する等幅部２４と、下流部を構成する拡幅部２５とからなる。各等幅部２４は、左右方向の寸法が上記流れ方向について一定となるように形成されている。図１及び図６に示すように、各拡幅部２５は、各等幅部２４とリテーナ本体１４との間に位置し、下流側ほど左右方向に徐々に拡幅して同リテーナ本体１４に繋がっている。本実施形態では、各拡幅部２５は、左右方向については、隣のダクト接続部２１の拡幅部２５に近づく側へのみ拡幅されている。
【００３７】
さらに、図６に示すように、各拡幅部２５は、下流側ほど隣の拡幅部２５に近づくように、上記流れ方向に対し一定の角度αで傾斜する平坦な傾斜壁部２６を有している。そして、両拡幅部２５（両傾斜壁部２６）の下流端は、左右方向におけるリテーナ本体１４の中央部分で互いに接続されている。
【００３８】
なお、図２、図５及び図６に示すように、リテーナ本体１４内には、吹出口１５から車室に吹き出される空調用空気Ａ１の上下方向の向きを変更する横フィン３０，３１、左右方向の向きを変更する縦フィン３２、吹出口１５からの空調用空気Ａ１の吹き出しを遮断するシャットダンパ３３等が配置されている。
【００３９】
次に、上記のように構成された本実施形態の空調用薄型レジスタ１０の作用及び効果について説明する。
図３及び図６に示すように、隣り合うダクト接続部２１の両流入口２２は、左右方向に互いに離間している。そのため、送風ダクト１１の分岐部１１ａが、対応するダクト接続部２１に接続された状態では、隣り合うダクト接続部２１の間や、送風ダクト１１の隣り合う分岐部１１ａの間に空間Ｓ１が生ずる。従って、この空間Ｓ１に空調用薄型レジスタ１０の周辺の部品（各種電子機器、ハーネス等）を配置することで、ダクト接続部２１や分岐部１１ａと周辺の部品との干渉を回避することができる。
【００４０】
本実施形態では、ダクト接続部２１が２つ設けられ、しかも、ダクト接続部２１毎の拡幅部２５が、隣のダクト接続部２１の拡幅部２５に近づく側へのみ拡幅されている。そのため、リテーナ１２の左右方向の中央部分にのみ大きな空間Ｓ１が生ずる。従って、この空間Ｓ１に上記周辺の部品を配置することにより、ダクト接続部２１や分岐部１１ａと周辺の部品との干渉を効果的に抑制することができる。
【００４１】
また、ダクト接続部２１が複数（２つ）設けられていることから、ダクト接続部２１毎の拡幅部２５が左右方向の複数箇所（２箇所）に分散される。従って、ダクト接続部２１が１つの場合に比べ、各拡幅部２５の上記流れ方向における寸法ＬＤ（図１参照）を短くすることが可能である。そのため、奥行き方向の寸法が短いインストルメントパネルに対しても、空調用薄型レジスタ１０を組み込むことが可能となる。
【００４２】
また、図５及び図６に示すように、ダクト接続部２１毎の縮流部２３では、上下方向における通風路１３の寸法ＬＨが、リテーナ本体１４に近づくに従い徐々に短くなる。しかも、各縮流部２３における拡幅部２５が、下流側ほど隣の拡幅部２５側へ徐々に拡幅する。そのため、各縮流部２３では、通風路１３の流路断面積を上記流れ方向のどの箇所でも同程度にすることが可能である。
【００４３】
ところで、空調装置で生成された空調用空気Ａ１は、送風ダクト１１を流れる。同送風ダクト１１の各分岐部１１ａを流れる空調用空気Ａ１は、同分岐部１１ａが接続されたダクト接続部２１の流入口２２からリテーナ１２内に流入する。空調用空気Ａ１は、各縮流部２３では等幅部２４及び拡幅部２５を順に流れる。各等幅部２４では、空調用空気Ａ１が下流側へ真っ直ぐ流れようとする。各拡幅部２５のうち、左右方向における中央部分（上記等幅部２４の下流側の部分）でも同様である。各拡幅部２５のうち拡幅していない側、すなわち、隣の拡幅部２５から遠い側の側部でも、空調用空気Ａ１が下流側へ真っ直ぐ流れようとする。
【００４４】
これに対し、各拡幅部２５において等幅部２４よりも拡幅した部分（隣の拡幅部２５に近い側の側部）では、空調用空気Ａ１が拡幅した方向へ広がるように、方向を変えながら流れやすい。これは、上述したように、各拡幅部２５が下流側ほど隣の拡幅部２５側へ徐々に拡幅し、しかも、各拡幅部２５の上記流れ方向における寸法ＬＤが短いためである。
【００４５】
特に、本実施形態では、各拡幅部２５が下流側ほど隣の拡幅部２５に近づくように、上記流れ方向に対し一定の角度αで傾斜する傾斜壁部２６を有している。各拡幅部２５は、下流側ほど隣の拡幅部２５側へ一定量ずつ徐々に拡幅してリテーナ本体１４に繋がっている。拡幅部２５において等幅部２４よりも拡幅した部分では、空調用空気Ａ１が拡幅した方向へ広がるように、よりスムーズに方向を変えながら流れやすい。空調用空気Ａ１の流れが各ダクト接続部２１の下流部で急激に変化する現象が起こりにくい。
【００４６】
従って、図７〜図１０に示すように、寸法ＬＷが吹出口５５よりも短く、かつ寸法ＬＨが吹出口５５よりも長い流入口６２を有する１つのダクト接続部６１が、左右方向におけるリテーナ本体５４の中央部分に配置される場合（特許文献１がこれに相当）とは異なり、空調用空気Ａ１の流れが拡幅部２５で急激に変化する現象が起こりにくい。左右方向における各拡幅部２５の各部での圧力の差が小さくなる。各拡幅部２５では、空調用空気Ａ１が左右方向の全体の領域に広がった状態で、同程度の圧力でスムーズに流れる。結果として、圧力損失が小さくなる。
【００４７】
なお、図５及び図６に示すように、各ダクト接続部２１を流れた空調用空気Ａ１は、リテーナ本体１４を流れる。この際、シャットダンパ３３によって通風路１３が開放されていれば、空調用空気Ａ１は、同シャットダンパ３３、縦フィン３２、横フィン３１，３０等を通過する。空調用空気Ａ１は、縦フィン３２、横フィン３１，３０等によって流れ方向を変えられた後、吹出口１５から車室内に吹き出される。また、図示はしないが、シャットダンパ３３によって通風路１３が閉鎖されている場合には、空調用空気Ａ１の流れが同シャットダンパ３３によって止められ、吹出口１５から空調用空気Ａ１が吹き出されない。
【００４８】
本実施形態によると、上記以外にも、次の効果が得られる。
・従来の空調用薄型レジスタ５０において、仮に、流入口６２が吹出口５５と同一の長方形状又はそれに近い長方形状に形成されると、ダクト接続部６１が図７において二点鎖線で示すように、長辺部５７に沿う方向に長い扁平な四角筒状に形成され、同ダクト接続部６１の外表面の表面積が大きくなる。ダクト接続部６１に接続される送風ダクトについても同様である。
【００４９】
空調装置から送風ダクトを通って温度の低い空調用空気Ａ１が空調用薄型レジスタ５０に送られてきた場合、ダクト接続部６１、送風ダクト等の外表面に露や水滴が付着し、周囲の電子機器に影響を及ぼすおそれがある。
【００５０】
この点、図６に示すように、ダクト接続部２１を複数（２つ）設ける本実施形態では、ダクト接続部２１の外表面の表面積を、上記のものよりも小さくすることが可能である。ダクト接続部２１に接続される送風ダクト１１の分岐部１１ａについても同様である。従って、露や水滴の付着を抑制し、周囲の電子機器に影響を及ぼしにくくすることが可能である。
【００５１】
なお、上記実施形態は、これを以下のように変更した変形例として実施することもできる。
・３つ以上のダクト接続部２１が左右方向に並べられた状態で設けられてもよい。
【００５２】
・縮流部２３毎の拡幅部２５は、左右方向について、隣の拡幅部２５に近づく側だけでなく、遠ざかる側へも拡幅されてもよい。
・各拡幅部２５（傾斜壁部２６）の下流端は、隣の拡幅部２５（傾斜壁部２６）の下流端から左右方向に離間してもよい。
【００５３】
・拡幅部２５毎の傾斜壁部２６は、平坦な形状に代えて、下流側ほど隣の拡幅部２５に近づくように、全体として上記流れ方向に対し斜めに交差することを条件に、斜め下流側へ膨らむように湾曲してもよいし、斜め上流側へ凹むように湾曲してもよい。
【００５４】
・吹出口１５における一対の長辺部１７は、一対の短辺部１６に対し直交したものに限らず、直交に近い状態で斜めに交差するものであってもよい。
・上記空調用薄型レジスタ１０は、長方形状をなす吹出口１５が縦長となるように配置されるタイプの空調用薄型レジスタにも適用可能である。
【００５５】
・上記空調用薄型レジスタ１０は、車室内においてインストルメントパネルとは異なる箇所に設けられる空調用薄型レジスタにも適用可能である。
・上記空調用薄型レジスタ１０は、空調装置から送風ダクト１１を通って送られてきた空調用空気Ａ１を室内に吹出すことのできるものであれば、車両に限らず広く適用可能である。
【符号の説明】
【００５６】
１０…空調用薄型レジスタ、１１…送風ダクト、１２…リテーナ、１３…通風路、１４…リテーナ本体、１５…吹出口、１６…短辺部、１７…長辺部、２１…ダクト接続部、２２…流入口、２３…縮流部、２５…拡幅部、２６…傾斜壁部、Ａ１…空調用空気、α…角度。
【図１】
2020152228.tif 000003
【図２】
2020152228.tif 000004
【図３】
2020152228.tif 000005
【図４】
2020152228.tif 000006
【図５】
2020152228.tif 000007
【図６】
2020152228.tif 000008
【図７】
2020152228.tif 000009
【図８】
2020152228.tif 000010
【図９】
2020152228.tif 000011
【図１０】
2020152228.tif 000012